【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
被写体光による像を観察する光学ファインダー装置と、
前記被写体光による像を撮像する撮像装置と、
前記被写体光による像の合焦状態を検出する焦点検出装置と、
前記光学ファインダー装置による観察時に前記被写体光を反射して前記光学ファインダー装置へ導く状態と、撮影時に前記被写体光を前記撮像装置へ向かわせる状態とに切り換える光路切換手段と、
前記観察時は、第１の姿勢をとり、前記撮影時は、第２の姿勢をとって前記被写体光を前記撮像装置へ入射することを許容するとともに、前記被写体光に含まれる所定波長域の光を前記焦点検出装置へ導く波長選択手段とを備えることを特徴とするカメラ。
【請求項２】
請求項１に記載のカメラにおいて、
前記波長選択手段は、前記光路切換手段と干渉しないように前記撮像装置の前面に位置して前記第１の姿勢をとることを特徴とするカメラ。
【請求項３】
請求項１または２に記載のカメラにおいて、
前記光路切換手段はメインミラーとサブミラーとを有しており、
前記波長選択手段は、前記光路切換手段と前記撮像装置との間に位置して前記第１の姿勢をとることを特徴とするカメラ。
【請求項４】
請求項２または３に記載のカメラにおいて、
前記波長選択手段は、前記観察時において前記所定波長域の光を反射させるフィルタを有することを特徴とするカメラ。
【請求項５】
請求項１に記載のカメラにおいて、
前記波長選択手段は、前記光路切換手段と干渉しないように前記撮像装置の前面から退避した前記第１の姿勢をとることを特徴とするカメラ。
【請求項６】
請求項５に記載のカメラにおいて、
前記波長選択手段は、前記観察時において、前記光路切換手段と前記焦点検出装置との間に位置していることを特徴とするカメラ。
【請求項７】
請求項５または６に記載のカメラにおいて、
前記波長選択手段は、前記観察時において、ミラーボックス床面に位置していることを特徴とするカメラ。
【請求項８】
請求項１から７のいずれかに記載のカメラにおいて、
前記波長選択手段は、可視光に対して透過特性を有し、赤外光に対して反射特性を有することを特徴とするカメラ。
【請求項９】
請求項１から８のいずれかに記載のカメラにおいて、
前記波長選択手段は、ペリクル膜またはＧＢＯ素子であることを特徴とするカメラ。
【請求項１０】
請求項１から９のいずれかに記載のカメラにおいて、
前記波長選択手段は、赤外反射特性を有するミラー本体と、前記ミラー本体を支持する支持体とを有し、
前記ミラー本体は前記支持体に着脱可能であることを特徴とするカメラ。
【請求項１１】
請求項１から１０のいずれかに記載のカメラにおいて、
前記光路切換手段はメインミラーとサブミラーとを有しており、
前記観察時の前記サブミラーと前記撮影時の前記波長選択手段とは、同一傾斜角度の姿勢をとることを特徴とするカメラ。
【請求項１２】
請求項１から１１のいずれかに記載のカメラにおいて、
前記撮像装置は静止画撮影と動画撮影が可能であり、
前記観察時は、前記撮像装置が前記静止画撮影を行うときであり、
前記撮影時は、前記撮像装置が前記動画撮影を行うときであることを特徴とするカメラ。
【請求項１３】
請求項１から１２のいずれかに記載のカメラにおいて、
前記波長選択手段は、前記観察時において、前記所定波長域の光を反射させて、前記被写体光から前記所定波長域の光を除いた光束を前記焦点検出装置へ導くことを特徴とするカメラ。
【請求項１４】
請求項１から１３のいずれかに記載のカメラにおいて、
前記焦点検出装置は、前記所定波長域に対する補正量を用いた補正を行なって前記合焦状態を検出することを特徴とするカメラ。
【手続補正２】
【補正対象書類名】明細書
【補正対象項目名】発明の名称
【補正方法】変更
【補正の内容】
【発明の名称】カメラ
【手続補正３】
【補正対象書類名】明細書
【補正対象項目名】０００５
【補正方法】変更
【補正の内容】
【０００５】
（１）請求項１の発明によるカメラは、被写体光による像を観察する光学ファインダー装置と、被写体光による像を撮像する撮像装置と、被写体光による像の合焦状態を検出する焦点検出装置と、光学ファインダー装置による観察時に被写体光を反射して光学ファインダー装置へ導く状態と、撮影時に被写体光を撮像装置へ向かわせる状態とに切り換える光路切換手段と、観察時は、第１の姿勢をとり、撮影時は、第２の姿勢をとって被写体光を撮像装置へ入射することを許容するとともに、被写体光に含まれる所定波長域の光を焦点検出装置へ導く波長選択手段とを備えることを特徴とする。
（２）請求項２の発明は、請求項１に記載のカメラにおいて、波長選択手段は、光路切換手段と干渉しないように撮像装置の前面に位置して第１の姿勢をとることを特徴とする。
（３）請求項３の発明は、請求項１または２に記載のカメラにおいて、光路切換手段はメインミラーとサブミラーとを有しており、波長選択手段は、光路切換手段と撮像装置との間に位置して第１の姿勢をとることを特徴とする。
（４）請求項４の発明は、請求項２または３に記載のカメラにおいて、波長選択手段は、観察時において所定波長域の光を反射させるフィルタを有することを特徴とする。
（５）請求項５の発明は、請求項１に記載のカメラにおいて、波長選択手段は、光路切換手段と干渉しないように撮像装置の前面から退避した第１の姿勢をとることを特徴とする。
（６）請求項６の発明は、請求項５に記載のカメラにおいて、波長選択手段は、観察時において、光路切換手段と焦点検出装置との間に位置していることを特徴とする。
（７）請求項７の発明は、請求項５または６に記載のカメラにおいて、波長選択手段は、観察時において、ミラーボックス床面に位置していることを特徴とする。
（８）請求項８の発明は、請求項１から７のいずれかに記載のカメラにおいて、波長選択手段は、可視光に対して透過特性を有し、赤外光に対して反射特性を有することを特徴とする。
（９）請求項９の発明は、請求項１から８のいずれかに記載のカメラにおいて、波長選択手段は、ペリクル膜またはＧＢＯ素子であることを特徴とする。
（１０）請求項１０の発明は、請求項１から９のいずれかに記載のカメラにおいて、波長選択手段は、赤外反射特性を有するミラー本体と、ミラー本体を支持する支持体とを有し、ミラー本体は支持体に着脱可能であることを特徴とする。
（１１）請求項１１の発明は、請求項１から１０のいずれかに記載のカメラにおいて、光路切換手段はメインミラーとサブミラーとを有しており、観察時のサブミラーと撮影時の波長選択手段とは、同一傾斜角度の姿勢をとることを特徴とする。
（１２）請求項１２の発明は、請求項１から１１のいずれかに記載のカメラにおいて、撮像装置は静止画撮影と動画撮影が可能であり、観察時は、撮像装置が静止画撮影を行うときであり、撮影時は、撮像装置が動画撮影を行うときであることを特徴とする。
（１３）請求項１３の発明は、請求項１から１２のいずれかに記載のカメラにおいて、波長選択手段は、観察時において、所定波長域の光を反射させて、被写体光から所定波長域の光を除いた光束を焦点検出装置へ導くことを特徴とする。
（１４）請求項１４の発明は、請求項１から１３のいずれかに記載のカメラにおいて、焦点検出装置は、所定波長域に対する補正量を用いた補正を行なって合焦状態を検出することを特徴とする。
【手続補正４】
【補正対象書類名】明細書
【補正対象項目名】００３７
【補正方法】変更
【補正の内容】
【００３７】
第２の実施の形態では、赤外ダイクロイックミラー１３が撮影光路から退避した（撮影装置１５の前面から退避した）図５（ａ）の状態が第１の実施の形態における第１の姿勢に相当する。